【事件の表示】
　特許第２６０８４１６号に関する訂正審判事件について、次のとおり審決する。
【結　論】
　特許第２６０８４１６号発明の明細書及び図面を本件審判請求書に添付された訂正明細書及び図面のとおり訂正することを認める。
【理　由】
Ｉ．訂正の要旨
 本件審判請求の要旨は、特許第２６０８４１６号発明の明細書を本件審判請求書に添付された訂正明細書のとおりに訂正することを求めるものである。
II．訂正の内容
訂正事項ａ
　特許請求の範囲を、
「１．非磁性材からなるスライダと、該スライダ上で絶縁層を介在し相互に対向して配置された第１磁性膜と第２磁性膜とが該磁性膜先端部で間隙を有し、他端部で接続されてバックギャップを形成する磁気コアと、該磁気コア内の前記絶縁層内を貫通し前記バックギャップの周囲に渦巻状に形成される導体コイルと、該導体コイルの渦巻中心側端部と引出し線とを接続する電気接点とを有する薄膜磁気へッドにおいて、前記導体コイルの平面形状は、最内周の一巻分については卵形をしており、最外周の一巻分については前記磁気ギャップを形成する端面に対して交わるように形成される部分が直線部によって形成され、前記磁気ギャップと前記バックギャップとの間の領域に形成される部分が前記端面に平行する直線部によって形成されかつ前記両直線部が円弧によって接続され、前記バックギャップに関して前記端面と反対の領域に形成される部分が円弧で形成され、さらに前記最内周と前記最外周の中間周の巻分については最外周の一巻分の形状から最外周の一巻分の形状に向かって連続的に変化する形状をとることを特徴する薄膜磁気ヘッド。」から、
「１．非磁性材からなるスライダと、該スライダ上で絶縁層を介在し相互に対向して配置された第１磁性膜と第２磁性膜とが該磁性膜先端部で磁気ギャップを形成し、他端部で接続されてバックギャップを形成する磁気コアと、該磁気コア内の前記絶縁層内を貫通し前記バックギャップの周囲に渦巻状に形成される導体コイルと、該導体コイルの渦巻中心側端部と引出し線とを接続する電気接点とを有する薄膜磁気へッドにおいて、前記導体コイルの平面形状は、最内周の一巻分については卵形をしており、最外周の一巻分については前記磁気ギャップを形成する端面に対して交わるように形成される部分が直線部によって形成され、前記磁気ギャップと前記バックギャップとの間の領域に形成される部分が前記端面に平行する直線部によって形成されかつ前記両直線部が円弧によって接続され、前記バックギャップに関して前記端面と反対の領域に形成される部分が円弧で形成され、さらに前記最内周と前記最外周の中間周の巻分については最内周の一巻分の形状から最外周の一巻分の形状に向かって連続的に変化する形状をとることを特徴する薄膜磁気ヘッド。」
と訂正する。
訂正事項ｂ
　明細書第４頁第３行〜同貢第１８行の、
「本発明の目的は、非磁性材からなるスライダと、該スライダ上で絶縁層を介在し相互に対向して配置された第１磁性膜と第２磁性膜とが該磁性膜先端部で間隙を有し、他端部で接続されてバックギャップを形成する磁気コアと、該磁気コア内の前記絶縁層内を貫通し前記バックギャップの周囲に渦巻状に形成される導体コイルと、該導体コイルの渦巻中心側端部と引出し線とを接続する電気接点とを有する薄膜磁気ヘッドにおいて、導体コイルの平面形状は、最内周の一巻分については卵形をしており、最外周の一巻分については磁気ギャップを形成する端面に対して交わるように形成される部分が直線部によって形成され、磁気ギャップとバックギャップとの間の領域に形成される部分が磁気ギャップ端面に平行する直線部によって形成され、かつこれら両直線部が円弧によって接続され、またバックギャップに関して磁気ギャップ端面と反対の領域に形成される部分が円弧で形成されており、さらに最内周と最外周の中間周の巻分については最外周の形状から最外周の形状に向かって連続的に変化する形状をとることを特徴する薄膜磁気ヘッドを提供することにより達成される。」を、
「本発明の目的は、非磁性材からなるスライダと、該スライダ上で絶縁層を介在し相互に対向して配置された第１磁性膜と第２磁性膜とが該磁性膜先端部で磁気ギャップを形成し、他端部で接続されてバックギャップを形成する磁気コアと、該磁気コア内の前記絶縁層内を貫通し前記バックギャップの周囲に渦巻状に形成される導体コイルと、該導体コイルの渦巻中心側端部と引出し線とを接続する電気接点とを有する薄膜磁気ヘッドにおいて、導体コイルの平面形状は、最内周の一巻分については卵形をしており、最外周の一巻分については磁気ギャップを形成する端面に対して交わるように形成される部分が直線部によって形成され、磁気ギャップとバックギャップとの間の領域に形成される部分が磁気ギャップ端面に平行する直線部によって形成され、かつこれら両直線部が円弧によって接続され、またバックギャップに関して磁気ギャップ端面と反対の領域に形成される部分が円弧で形成されており、さらに最内周と最外周の中間周の巻分については最内周の形状から最外周の形状に向かって連続的に変化する形状をとることを特徴する薄膜磁気ヘッドを提供することにより達成される。」
と訂正する。
III．当審の判断
訂正事項ａについて
　特許請求の範囲の訂正について特許請求の範囲の訂正に係る事項である第１項の第２行の 「間隙を有し」を「磁気ギャップを形成し」に訂正する訂正は明細書第６頁第１４〜１９行に記載の「第１・２磁性膜２，３が設けられ……薄膜磁気ヘッド先端露出部で両磁性膜２，３がギャップ材１１を介して磁気ギャップ１３を形成している。」に基づくものである。この訂正により特許請求の範囲第１項の第７行の「前記磁気ギャップ」の意味が明瞭なったので、この部分の訂正は、明りょうでない記載の釈明を目的とするものと認められる。
　また、同じく特許請求の範囲の訂正に係る事項である第１項の第１２行の「最外周の一巻き分から」から「最内周の一巻き分から」への訂正は、
　訂正前の「さらに前記最内周と前記最外周の中間周の巻分については最外周の一巻き分の形状から最外周の一巻き分の形状に向かって連続的に変化する」という記載は明らかに論理的に誤りがあることから、正しい記載に訂正するもので、誤記の訂正を目的とするものと認められる。
　この訂正は、明細書第８頁第８〜１０行に「上記最内周Ｃ−Ｃ’と最外周Ｄ−Ｄ’との間の中間周では、コイル平面形状は連続的に変化している。」という記載に基づくものである。
訂正事項ｂについて
　訂正事項ｂに係る訂正個所は、発明の詳細な説明の中で特許請求の範囲の記載に対応する個所であることから、上記訂正事項ａに係る特許請求の範囲の訂正に合わせて訂正するものであるから、この訂正は明りょうでない記載の釈明を目的とするものと認められる。
IV．結び
　以上説明したように、上記訂正事項ａ、ｂはいずれも、誤記の訂正及び明りょうでない記載の釈明を目的とし、願書に添付した明細書文は図面に記載した事項の範囲内においてしたものであり、かつ実質上特許請求の範囲を拡張し、変更するものではなく、かつ訂正後における特許請求の範囲に記載されている事項により特定される発明が特許出願の際独立して特許を受けることができるものであるから、本件審判請求は、特許法等の一部を改正する法律（平成６年法律第１１６号）附則６条第１項の規定により、訂正についてはなお従前の例によるとされる、特許法第１２６条第１項ただし書き第２号及び第３号に掲げる事項を目的とし、かつ同条第３項から第４項の規定に適合するものである。
  よって、結論のとおり審決する。